(57)【要約】【課題】  一つの携帯端末に対して多様なサービスの提供を行う携帯端末サービス多様化システム，方法およびプログラムを提供する。【解決手段】  メール送信元装置６００は、宛先である携帯端末１００のメールアドレスを指定してメールを送信する。ゲートウェイ装置４００は、ネットワーク５００を経由してメールを受信し、メールの宛先メールアドレスに対応したメールサーバ３００にメールを転送する。メールサーバ３００は、メールを受信するとメールを保存すると共に、携帯端末１００宛にメールが来ていることをプッシュサーバ２００に対して通知する。プッシュサーバ２００は、上記通知を受けると、携帯端末１００に対してメールの到着を通知する。携帯端末１００は、メールサーバ３００からメールを受信する。【選択図】      図１
2005032055.tif 000002
【特許請求の範囲】
【請求項１】
メールを携帯端末に送信するメール送信元装置と、
前記メール送信元装置から受信したメールの宛先メールアドレスを基に受信したメールを対応するメールサーバに振り分けて転送するゲートウェイ装置と、
前記ゲートウェイ装置から転送されたメールを受信して格納する複数のメールサーバと、
前記メールサーバにアクセスしてメールを受信する携帯端末と、
を備える携帯端末サービス多様化システム。
【請求項２】
前記メールサーバからメール受信通知を受けて前記携帯端末に対してメール到着の通知を送るプッシュサーバを備える、
ことを特徴とする請求項１記載の携帯端末サービス多様化システム。
【請求項３】
前記携帯端末は、
前記プッシュサーバからメール到着の通知を受信したときに前記メールサーバにアクセスしてメールを受信する手段を有する、
ことを特徴とする請求項２記載の携帯端末サービス多様化システム。
【請求項４】
メール送信元装置とゲートウェイ装置と複数のメールサーバと携帯端末とを備えるシステムの携帯端末サービス多様化方法であって、
前記メール送信元装置は、
メールを前記携帯端末宛に送信し、
前記ゲートウェイ装置は、
前記メール送信元装置からメールを受信し、
受信したメールの宛先メールアドレスを基に受信したメールを対応する前記メールサーバに振り分けて転送し、
前記メールサーバは、
前記ゲートウェイ装置から転送されたメールを受信して格納し、
前記携帯端末は、
前記メールサーバにアクセスしてメールを受信する、
ことを特徴とする携帯端末サービス多様化方法。
【請求項５】
前記システムに備えられたプッシュサーバは、
前記メールサーバからメールの受信通知を受け、
前記携帯端末に対してメール到着の通知を送る、
ことを特徴とする請求項４記載の携帯端末サービス多様化方法。
【請求項６】
前記携帯端末は、
前記プッシュサーバからメール到着の通知を受信し、
前記メールサーバにアクセスしてメールを受信する、
ことを特徴とする請求項５記載の携帯端末サービス多様化方法。
【請求項７】
メール送信元装置とゲートウェイ装置と複数のメールサーバと携帯端末とを備えるシステムの携帯端末サービス多様化プログラムであって、
コンピュータに、
前記メール送信元装置が、
メールを前記携帯端末宛に送信する機能、
前記ゲートウェイ装置が、
前記メール送信元装置からメールを受信する機能、
受信したメールの宛先メールアドレスを基に受信したメールを対応する前記メールサーバに振り分けて転送する機能、
前記メールサーバが、
前記ゲートウェイ装置から転送されたメールを受信して格納する機能、
前記携帯端末が、
前記メールサーバにアクセスしてメールを受信する機能、
を実現させるための携帯端末サービス多様化プログラム。
【請求項８】
前記システムに備えられたプッシュサーバが、
前記メールサーバからメールの受信通知を受ける機能、
前記携帯端末に対してメール到着の通知を送る機能、
を実現させるための請求項７記載の携帯端末サービス多様化プログラム。
【請求項９】
前記携帯端末が、
前記プッシュサーバからメール到着の通知を受信する機能、
前記メールサーバにアクセスしてメールを受信する機能、
を実現させるための請求項８記載の携帯端末サービス多様化プログラム。
【発明の詳細な説明】
【技術分野】
【０００１】
本発明は、携帯端末サービス多様化システム，方法およびプログラムに関し、特に一つの携帯端末に対して複数のメールサーバを設定してサービスの多様化を行う携帯端末サービス多様化システム，方法およびプログラムに関する。
【背景技術】
【０００２】
従来、携帯電話のメール機能において、一つの携帯電話に対して一つのメールサーバが設定されている。
【０００３】
例えば、特許文献１には、電子メール送信者となるパーソナルコンピュータから送信された電子メールを受信メールサーバで受信して受信メールボックスに格納し、電子メール受信者となる携帯電話がアクセスして自分宛の電子メールを受信することが記載されている。
【０００４】
【特許文献１】特開２００１−３３９４２４号公報
【発明の開示】
【発明が解決しようとする課題】
【０００５】
しかしながら、上述した従来の技術では、一つの携帯電話に対して一つのメールサーバしか設定されていないので、携帯電話の使用者がメールに関する多様なサービスの提供を受けられないという問題点があった。
【０００６】
例えば、日本国内では携帯電話のメール課金システムがパケット単位の重量課金システムであるため、サービス展開側が多数のメールを送信した場合にユーザが大量の課金が発生してしまうことを嫌うケースがある。
【０００７】
本発明の目的は、上記の問題点を解決し、一つの携帯端末に対して多様なサービスの提供を行う携帯端末サービス多様化システム，方法およびプログラムを提供することにある。
【課題を解決するための手段】
【０００８】
本願第１の発明の携帯端末サービス多様化システムは、メールを携帯端末に送信するメール送信元装置と、前記メール送信元装置から受信したメールの宛先メールアドレスを基に受信したメールを対応するメールサーバに振り分けて転送するゲートウェイ装置と、前記ゲートウェイ装置から転送されたメールを受信して格納する複数のメールサーバと、前記メールサーバにアクセスしてメールを受信する携帯端末と、を備える。
【０００９】
本願第２の発明の携帯端末サービス多様化システムは、第１の発明において前記メールサーバからメール受信通知を受けて前記携帯端末に対してメール到着の通知を送るプッシュサーバを備える。
【００１０】
本願第３の発明の携帯端末サービス多様化システムは、第２の発明において前記携帯端末は、前記プッシュサーバからメール到着の通知を受信したときに前記メールサーバにアクセスしてメールを受信する手段を有する。
【００１１】
本願第４の発明の携帯端末サービス多様化方法は、メール送信元装置とゲートウェイ装置と複数のメールサーバと携帯端末とを備えるシステムの携帯端末サービス多様化方法であって、前記メール送信元装置は、メールを前記携帯端末宛に送信し、前記ゲートウェイ装置は、前記メール送信元装置からメールを受信し、受信したメールの宛先メールアドレスを基に受信したメールを対応する前記メールサーバに振り分けて転送し、前記メールサーバは、前記ゲートウェイ装置から転送されたメールを受信して格納し、前記携帯端末は、前記メールサーバにアクセスしてメールを受信する、ことを特徴とする。
【００１２】
本願第５の発明の携帯端末サービス多様化方法は、第４の発明において前記システムに備えられたプッシュサーバは、前記メールサーバからメールの受信通知を受け、前記携帯端末に対してメール到着の通知を送る、ことを特徴とする。
【００１３】
本願第６の発明の携帯端末サービス多様化方法は、第５の発明において前記携帯端末は、前記プッシュサーバからメール到着の通知を受信し、前記メールサーバにアクセスしてメールを受信する、ことを特徴とする。
【００１４】
本願第７の発明の携帯端末サービス多様化プログラムは、メール送信元装置とゲートウェイ装置と複数のメールサーバと携帯端末とを備えるシステムの携帯端末サービス多様化プログラムであって、コンピュータに、前記メール送信元装置が、メールを前記携帯端末宛に送信する機能、前記ゲートウェイ装置が、前記メール送信元装置からメールを受信する機能、受信したメールの宛先メールアドレスを基に受信したメールを対応する前記メールサーバに振り分けて転送する機能、前記メールサーバが、前記ゲートウェイ装置から転送されたメールを受信して格納する機能、前記携帯端末が、前記メールサーバにアクセスしてメールを受信する機能、を実現させる。
【００１５】
本願第８の発明の携帯端末サービス多様化プログラムは、第７の発明において前記システムに備えられたプッシュサーバが、前記メールサーバからメールの受信通知を受ける機能、前記携帯端末に対してメール到着の通知を送る機能、を実現させる。
【００１６】
本願第９の発明の携帯端末サービス多様化プログラムは、第８の発明において前記携帯端末が、前記プッシュサーバからメール到着の通知を受信する機能、前記メールサーバにアクセスしてメールを受信する機能、を実現させる。
【発明の効果】
【００１７】
第１の効果は、メールサーバ単位でのサービスを多様化できるという点にある。
【００１８】
その理由は、一つの携帯端末に複数のメールアドレスおよびメールサーバをサポートすることにより、必要に応じてメール要求の接続先を変えることができるようにしたからである。
【００１９】
第２の効果は、ユーザーがメールアドレス単位でサービスを選択できるようになることにある。
【００２０】
その理由は、一つの携帯端末に複数のメールアドレスおよびメールサーバをサポートすることにより、必要に応じてメールアドレス単位で設定を変更することができるようにしたからである。
【発明を実施するための最良の形態】
【００２１】
本発明の携帯端末サービス多様化システムは、一つの携帯端末に複数のメールアドレスおよびメールサーバをサポートすることにより、必要に応じてメール要求の接続先を変更することができることを特徴としている。これによって、メールアドレス単位での複数サービスが享受できるようになる。
【００２２】
特に、メール自動受信機能を使用する場合には、事前にサーバから通知される情報によってどの接続情報を使用するべきかを自動判別して接続に行くので、ユーザーがメール受信時にどのメールサーバからメールを受信すればよいのか気にする手間も省略できる。
【００２３】
具体的には、ゲートウェイと携帯端末の間に複数のメールサーバを設置し、外部からのメールをゲートウェイによってサービスごとに複数のメールサーバに振り分ける。メールサーバがメールを受信した際に、プッシュサーバに受信通知を送ることにより、プッシュサーバから携帯端末に対してメールが到着したという通知を送信する。また、携帯端末に送る通知データの中にメールを受信したメールサーバ情報を入れておくことにより、携帯端末側でどのメールサーバに受信しに行けばよいかが判別でき、自動受信設定のメールサーバに対して自動メール受信を行う。
【００２４】
次に、本発明の実施の形態の構成について、図面を参照して詳細に説明する。
図１は、本発明の実施の形態の構成を示す図である。
図２は、ゲートウェイ装置の構成を示す図である。
【００２５】
図１を参照すると、本発明の実施の形態は、携帯端末１００と、プッシュサーバ２００と、メールサーバ３００〜３０２と、ゲートウェイ装置４００と、ネットワーク５００と、メール送信元装置６００〜６０２と、を備えている。なお、本説明では、メールサーバとメール送信元装置を各３個としているが、メールサーバとメール送信元装置の個数に制約はない。また、携帯端末の個数にも制約はない。
【００２６】
携帯端末１００は、プログラム制御で動作する携帯電話等の携帯用装置であり、各メールサーバ３００〜３０２に対する接続設定を行う機能、各メールサーバ３００〜３０２に対応するメールアドレスを設定する機能、メールの送受信機能、等を有する。また、メールの自動受信を設定する機能を有し、メール自動受信設定を行っている場合にはプッシュサーバ２００から通知された情報を元に新規メールの届いているメールサーバに対してメールの自動受信処理を行う機能を有する。携帯端末１００が設定するメールアドレスは、各メールサーバから付与されたメールアドレスであり、本例では、メールサーバ３００からメールアドレス”メールアドレス１”、メールサーバ３０１からメールアドレス”メールアドレス２”、メールサーバ３０２からメールアドレス”メールアドレス３”、が付与されたものとする。携帯端末１００が相手からのメールを受信する時には各メールサーバ３００〜３０２から受信し、相手にメールを送信する時にはゲートウェイ装置４００に送る。
【００２７】
プッシュサーバ２００は、プログラム制御で動作するサーバ等の情報処理装置であり、メールを受信したメールサーバ３００〜３０２からメール受信通知を受け、携帯端末１００に対してメールが到着したという通知を送信する。また、携帯端末１００に送信する通知データの中に、メールを受信したメールサーバ情報を入れておくようにしてもよい。これにより、携帯端末１００は、どのメールサーバにメールが到着しているかを知ることができる。
【００２８】
メールサーバ３００は、プログラム制御で動作するサーバ等の情報処理装置であり、ゲートウェイ装置４００から渡されたメールを携帯端末１００に送信する。メールサーバ３００は、メールの受信に伴う付加サービスを携帯端末１００に提供する。
【００２９】
メールサーバ３０１およびメールサーバ３０２は、メールサーバ３００と同様である。
【００３０】
ゲートウェイ装置４００は、プログラム制御で動作する情報処理装置であり、ネットワーク５００を経由した外部との間のメールの送受信を行う。ネットワーク５００を経由した外部からのメールを受信した場合にはメールをメールサーバ３００〜３０２に振り分ける。また、携帯端末１００からメールを受信した場合にはネットワーク５００を経由して外部にメールを送信する。また、ゲートウェイ装置４００は、メールデータ以外に、携帯端末１００とネットワーク網の間でやり取りされる全てのデータ（例えば、通常のブラウジングのデータなど）を処理する。ゲートウェイ装置４００は、図２に示すように、ゲートウェイ手段４００１とメールゲートウェイ手段４００２とを有している。
【００３１】
ゲートウェイ手段４００１は、通常（従来）のゲートウェイ機能（例えば、データの取捨選択（フィルタ）、変換、転送等）を提供すると共に、ネットワーク５００を介して外部からメールが来た場合にはメールをメールゲートウェイ手段４００２に渡す機能を有する。また、メールゲートウェイ手段４００２からメールが渡された場合にはネットワーク５００を経由して外部にメールを送信する。
【００３２】
メールゲートウェイ手段４００２は、メールアドレスとメールサーバとの対応付けテーブルを含み、ゲートウェイ手段４００１から渡されたメールの宛先メールアドレスでメールアドレスとメールサーバとの対応付けテーブルを検索し対応するメールサーバにメールを送る。また、携帯端末１００からメールを受信した場合にはゲートウェイ手段４００１に渡す。
【００３３】
ネットワーク５００は、メール送信元装置６００〜６０２とゲートウェイ装置４００とを接続するインターネットなどの通信網である。
【００３４】
メール送信元装置６００は、プログラム制御で動作する情報処理装置であり、携帯端末１００宛にメールを送信する。また、携帯端末１００からのメールを受信する。
【００３５】
メール送信元装置６０１およびメール送信元装置６０２は、メール送信元装置６００と同様である。
【００３６】
次に、本発明の実施の形態の動作について、図面を参照して詳細に説明する。
図３は、本発明の実施の形態の動作の流れを示す図である。
【００３７】
通信事業者がメールサーバ３００〜３０２およびゲートウェイ装置４００を設置し、メールサーバの数だけのメールアドレスを携帯端末１００に付与し、携帯端末１００はこれらのメールアドレスを扱えるように登録し、各メールサーバと接続できるように接続設定を行っているものとする。
【００３８】
先ず、図３を参照して、携帯端末１００に送信する場合について説明する。本説明では、メール送信元装置６００が携帯端末１００の１番目のメールアドレス”メールアドレス１”にメールを送信するものとする。
【００３９】
メール送信元装置６００は、本サービスを使用している携帯端末１００の１番目のメールアドレス”メールアドレス１”にメールを送信する（ステップＳ１）。
【００４０】
ゲートウェイ装置４００は、ネットワーク５００を経由してメールを受信する（ステップＳ２）。
【００４１】
ゲートウェイ装置４００は、受信したメールの宛先メールアドレスによってメールサーバを選別し、宛先メールアドレス”メールアドレス１”に対応したメールサーバ３００にメールを転送する（ステップＳ３）。
【００４２】
メールサーバ３００は、メールを受信すると、メールを保存すると共に、宛先メールアドレス”メールアドレス１”を使用している携帯端末１００宛にメールが来ていることをプッシュサーバ２００に対して通知する（ステップＳ４）。
【００４３】
プッシュサーバ２００は、上記通知を受けると、携帯端末１００に対して「メールを受信したメールサーバ」情報を新規メールの到着通知と共に通知する（ステップＳ５）。
【００４４】
携帯端末１００は、メールの自動受信設定を行っている場合、プッシュサーバ２００から通知された情報を元に新規メールの届いているメールサーバ３００に対してメールの自動受信処理を行う（ステップＳ６〜Ｓ７）。
【００４５】
メールの自動受信を行わないように設定している場合には、携帯端末１００の画面上に、メールサーバ３００に新規メールが届いていることを通知するアイコンを表示する（ステップＳ６、Ｓ８）。
【００４６】
メールサーバ３００は、メール受信に伴う付加サービスを携帯端末１００に対して提供する。
【００４７】
続いて、携帯端末１００から送信する場合について説明する。本説明では、携帯端末１００からメール送信元装置６００にメールを送信するものとする。
【００４８】
携帯端末１００は複数のメールアドレスを所有しているため、メール送信時には複数所有しているうちのどのアドレスをＦｒｏｍアドレス（発信元メールアドレス）として使用するかを選択する。通常は、メール設定でデフォルトメールアドレスに何を使用するかを設定するため、新規メール作成時にはそのメールアドレスを使用してメールを送信する。
【００４９】
メール送信の際のルートはどのメールアドレスを使用しても同じで、携帯端末１００から発信されたメールはゲートウェイ装置４００（詳細には、メールゲートウェイ手段４００２）に対して送信される。
【００５０】
ゲートウェイ装置４００はネットワーク５００を介してメール送信元装置６００宛にメールを送信する。
【００５１】
すなわち、携帯端末１００からのメール送信時のルートは、携帯端末１００→メールゲートウェイ手段４００２→ゲートウェイ手段４００１→ネットワーク５００→相手のメールサーバ→送信先（メール送信元装置６００）のようになる。
【００５２】
上述したように、通信事業者等は異なる付加サービスを提供する複数のメールサーバを設置し、各メールサーバが携帯端末にメールアドレスを付与し、１台の携帯端末はメールサーバの数だけのメールアドレスを扱えるようにしているので、携帯端末はメールサーバを選択することにより（メールアドレスを使い分けることにより）メール受信時に多様なサービス提供を受けることができる。
【００５３】
メールサーバ単位でのサービスを多様化する例を以下に挙げる。
【００５４】
例１として、課金形式を判別するサービスを実施した場合、「メールサーバ（例えばメールサーバ３００）のメールデータに掛かった通信料は送信者側が全額負担する」というサービス（送信元に課金を行うために送信側のデータも登録性となるため、主に通信業者等が送信元となる同報サービス等で使用される）。この場合、送信元はメールアドレス”メールアドレス１”を使用して携帯端末１００に送信するが、メールサーバ３００は受信者である携帯端末１００に通信料無料のサービスを提供する。
【００５５】
例２として、画像やメロディなどのデータコンテナとして使用し、ユーザはサービス提供側に対して一定の金額を支払い、発生する通信費用は全てサービス提供側負担とするサービス。この場合、ユーザがＰＣやＷｅｂメールなどから必要なデータをメール添付形式でメールアドレス（例えば”メールアドレス２”）に対して送信しておき、必要なときに携帯端末１００からメールサーバ（例えばメールサーバ３０１）に対して選択メール受信を行い必要なデータのみを受信する（サーバにデータを置いておき、必要に応じてダウンロードするサービスをメール形式で行う）が、必要なときに行われる選択メール受信に対して、メールサーバ３０１は受信者である携帯端末１００に通信料無料のサービスを提供する。
【００５６】
また、ユーザがメールアドレス単位でサービスを選択する例を以下に挙げる。
【００５７】
例１として、個人用として使用するメールアドレス（例えば”メールアドレス１”）とニュースメール用として使用するメールアドレス（例えば”メールアドレス２”）を分けて登録し、個人用アドレス（例えば”メールアドレス１”）のみ自動受信設定にする。これにより、個人利用がしやすくなる。
【００５８】
例２として、個人用として使用するアドレス（例えば”メールアドレス１”）と会社用として使用するアドレス（例えば”メールアドレス３”）を分けて登録し、会社用アドレス（例えば”メールアドレス３”）にきたメールのみ別のアドレスに転送設定する。これにより、会社の作業がしやすくなる。
【００５９】
次に、本発明の他の実施の形態について、図面を参照して詳細に説明する。
図４は、本発明の他の実施の形態の構成を示す図である。
図５は、ゲートウェイ装置の構成を示す図である。
【００６０】
本発明の他の実施の形態は、携帯端末からメールを送信するときにメールサーバを経由させ、メール送信に伴う付加サービスも提供する点で上述の実施の形態と異なる。
【００６１】
図４を参照すると、本発明の他の実施の形態は、携帯端末１０１と、プッシュサーバ２００と、メールサーバ３０３〜３０５と、ゲートウェイ装置４０１と、ネットワーク５００と、メール送信元装置６００〜６０２と、を備えている。
【００６２】
携帯端末１０１は、上述の実施の形態の携帯端末１００と同等であるが、携帯端末１０１が相手にメールを送信する時には発信元メールアドレスに対応したメールサーバに送信する。
【００６３】
メールサーバ３０３は、上述の実施の形態のメールサーバ３００と同等であるが、携帯端末１０１から受信したメールをゲートウェイ装置４０１に渡す。メールサーバ３０３は、メールの送受信に伴う付加サービスを提供する。
【００６４】
メールサーバ３０４およびメールサーバ３０５は、メールサーバ３０３と同様である。
【００６５】
ゲートウェイ装置４０１は、上述の実施の形態のゲートウェイ装置４００と同等であるが、メールサーバ３０３〜３０５からメールを受信した場合にはネットワーク５００を経由して外部にメールを送信する。ゲートウェイ装置４０１は、図５に示すように、ゲートウェイ手段４０１１とメールゲートウェイ手段４０１２とを有している。
【００６６】
ゲートウェイ手段４０１１は、上述の実施の形態のゲートウェイ手段４００１と同等である。
【００６７】
メールゲートウェイ手段４０１２は、上述の実施の形態のメールゲートウェイ手段４００２と同等であるが、メールサーバ３０３〜３０５からメールを受信した場合にはゲートウェイ手段４０１１に渡す。
【００６８】
本発明の他の実施の形態の動作について説明する。メール送信元装置６００から携帯端末１０１にメールを送信するときの動作は上述した実施の形態の動作と同様である。ここでは、携帯端末１０１からメール送信元装置６００にメールを送信するときの動作について説明する。
【００６９】
携帯端末１０１は、登録しているメールサーバ３０３〜３０５の中から１つのメールサーバを選択する（本例では、メールサーバ３０４を選択するものとする）。発信元メールアドレスとして”メールアドレス２”を使用し、メール送信元装置６００宛にメールを送信する。携帯端末１０１から発信されたメールはメールサーバ３０４に送られ、メールサーバ３０４は受信したメールをゲートウェイ装置４０１に送る。ゲートウェイ装置４０１はネットワーク５００を介してメール送信元装置６００宛にメールを送信する。
【００７０】
メールサーバ３０４は、メール送信に伴う付加サービスを携帯端末１０１に対して提供する。メール送信に伴う付加サービスとして、メール送信の通信料を無料にするサービス等がある。
【００７１】
更に、本発明の他の実施の形態について説明する。
【００７２】
上述した実施の形態では、プッシュサーバを備え、プッシュサーバが携帯端末に到着メールを通知しているが、他の実施の形態として、プッシュサーバを備えず、携帯端末が適宜メールサーバにアクセスして到着メールを取り出すようにしてもよい。
【００７３】
本発明による上述した実施の形態において、携帯端末サービス多様化システムの処理動作を実行するためのプログラム等を、データとしてコンピュータの磁気ディスクや光ディスク等の記録媒体（図示せず）に記録するようにし、記録されたデータを読み出して携帯端末サービス多様化システムを動作させるために用いる。このように、本発明による携帯端末サービス多様化システムを動作させるデータを記録媒体に記録させ、この記録媒体をインストールすることにより携帯端末サービス多様化システムの機能が実現できるようになる。
【図面の簡単な説明】
【００７４】
【図１】本発明の実施の形態の構成を示す図
【図２】ゲートウェイ装置の構成を示す図
【図３】本発明の実施の形態の動作の流れを示す図
【図４】本発明の他の実施の形態の構成を示す図
【図５】ゲートウェイ装置の構成を示す図
【符号の説明】
【００７５】
１００    携帯端末
１０１    携帯端末
２００    プッシュサーバ
３００    メールサーバ
３０１    メールサーバ
３０２    メールサーバ
３０３    メールサーバ
３０４    メールサーバ
３０５    メールサーバ
４００    ゲートウェイ装置
４０１    ゲートウェイ装置
５００    ネットワーク
６００    メール送信元装置
６０１    メール送信元装置
６０２    メール送信元装置
４００１    ゲートウェイ手段
４００２    メールゲートウェイ手段
４０１１    ゲートウェイ手段
４０１２    メールゲートウェイ手段
【図１】
2005032055.tif 000003
【図２】
2005032055.tif 000004
【図３】
2005032055.tif 000005
【図４】
2005032055.tif 000006
【図５】
2005032055.tif 000007